(57)【要約】【課題】画像に関連のある香りの再生を可能にする撮影装置を提供する。【解決手段】複数の香りセンサ１５を配備して香りセンサ１  １５１，香りセンサ２  １５２，香りセンサ３  １５３で検出された香りの成分に基づき配分率を表わす香りデータを香り信号処理部１７０で生成する。画像信号処理部１０４で画像データを生成して香りデータ・画像データ記憶部に供給するとともに上記香りデータも香りデータ・画像データ記憶部１０４に供給するようにして香りデータ・画像データ記憶部１０５に双方のデータの関連付けを行なわせてからメモリカード等の記憶媒体に関連付けたデータを記憶させる。【選択図】  図２
2007116426.tif 000002
【特許請求の範囲】
【請求項１】
撮影レンズで被写体を捉え該被写体を撮像素子に結像させて該被写体を表わす画像データを生成する撮影装置において、
香りを再現するための複数の香り成分の配分率を被写体から検出する香りセンサと、
前記画像データを記憶する記憶部と、
撮影により得られた画像データとともに前記香りセンサにより検出された複数の香り成分の配分率を表わす香りデータを前記記憶部に記憶させる制御手段とを備えたことを特徴とする撮影装置。
【請求項２】
前記香りデータを記憶する香り記憶モードを含む撮影モードを有し、
前記制御手段は、前記香り記憶モードに設定されている場合に、前記香りデータを、前記画像データとともに前記記憶部に記憶させるものであることを特徴とする請求項１記載の撮影装置。
【発明の詳細な説明】
【技術分野】
【０００１】
本発明は、撮影レンズで被写体を捉えその被写体を撮像素子に結像させてその被写体を表わす画像データを生成する撮影装置に関する。
【背景技術】
【０００２】
香りを、ネットワークを用いて相手方に伝送しようという香り伝送システムと呼ばれるものが提案されている（特許文献１〜特許文献２参照）。このようなシステムがあると、例えば香り発生装置を相手方に配備して香りを表わす香りデータをその香り発生装置に伝送することによって遠隔地にいる人にこちら側にある例えば花の香り等を届けることができる。
【０００３】
ところで、最近のデジタルカメラにおいては画像とともに音声も録音することができるようになってきており、再生時には撮影画像とともに撮影したときに録音された音声が再生されるものが多い。このように画像とともに撮影時の音声がそのまま再生されると、撮影を行なっていた時間が蘇ったかのように画像が再生される。
【０００４】
このような観点から音声以外にも画像とともに再生することができるものがあれば再生することができるようにしておきたい。画像の撮影においては時として香りに特徴のある画像、例えば花や料理等が人物等とともに撮影される場合もあり、このような場合には画像に加えて再生時に花の香りや料理の香り等が再生されるとより一層リアリティのある再生画像になることが予想される。特許文献３には、香りを放出する香料放出手段をデジタルカメラ内部に設ける技術が提案されているが、この技術は操作により選択された香料を空間に放出させることによりその香料が持つ特定の香りを空中に漂わせるだけのものである。
【特許文献１】特開２００１−９１４８５号公報
【特許文献２】特開２００１−３３９３５３号公報
【特許文献３】特開２００４−４０６１０号公報
【発明の開示】
【発明が解決しようとする課題】
【０００５】
本発明は、上記事情に鑑み、画像に関連のある香りの再生を可能にする撮影装置を提供することを目的とする。
【課題を解決するための手段】
【０００６】
上記目的を達成する本発明の撮影装置は、撮影レンズで被写体を捉えその被写体を撮像素子に結像させてその被写体を表わす画像データを生成する撮影装置において、
香りを再現するための複数の香り成分の配分率を被写体から検出する香りセンサと、
上記画像データを記憶する記憶部と、
撮影により得られた画像データとともに上記香りセンサにより検出された複数の香り成分の配分率を表わす香りデータを上記記憶部に記憶させる制御手段とを備えたことを特徴とする。
【０００７】
上記本発明の撮影装置によれば、上記制御手段によって上記香りセンサにより検出された複数の香り成分の配分率を表わす香りデータが画像データとともに上記記憶部に記憶される。
【０００８】
例えば上記香りセンサとして花の香りの成分を検出することができるセンサを複数種類用意して香りを検出したとすると、その花が持つ香りの成分が各香りセンサにより検出されその花が持つ香り成分の配分率が検出され検出されたデータが上記記憶部に記憶される。
【０００９】
上記花の香りを再現するときには、例えば上記複数の香りセンサそれぞれに対応する数と同数の特許文献１に記載されているような香り発生部を撮影装置に設けることによって撮影時に空中に漂っていた実際の香りに近い香りを画像とともに再生することができるようになる。
【００１０】
以上説明したように、画像に関連のある香りの再生を可能にする撮影装置が実現する。
【００１１】
ここで、上記香りデータを記憶する香り記憶モードを含む撮影モードを有し、
上記制御手段は、上記香り記憶モードに設定されている場合に、上記香りデータを、上記画像データとともに上記記憶部に記憶させるものであることが好ましい。
【００１２】
上記香り記憶モードを設けておくと、撮影者が画像とともに香りも記憶しておきたいと思った場合には香りデータと画像データーとが関連付けて記憶され、それ以外の場合には通常の撮影モードで撮影が行なわれる。
【発明の効果】
【００１３】
以上、説明したように、画像に関連のある香りの再生を可能にする撮影装置が実現する。
【発明を実施するための最良の形態】
【００１４】
以下、本発明の一実施形態である撮影装置の一例を説明する。
【００１５】
図１は、一実施形態であるデジタルカメラの外観を示す図である。
【００１６】
図１に示すデジタルカメラ１は、カメラボディ１ａ中央にレンズ鏡胴１０を備えたものであってそのレンズ鏡胴１０に内蔵された撮影レンズ１０１で被写体を捉えて撮影を行なうものである。
【００１７】
図１に示すように、レンズ鏡胴１０の上方にはファインダ１１が配備されており、ファインダ１１の隣にはフラッシュ発光窓１２が設けられている。また、カメラボディ１ａ上面には、シャッタボタン１３とモードダイヤル１４が配備されていて、モードダイヤル１４が撮影モードに切り替えられた状態にあるときにシャッタボタン１３が押されると撮影が行なわれる。本実施形態のデジタルカメラ１が有する撮影モードの中には、再生モードもあり、再生モードに切り替えられると背面側にある表示画面に既撮影画像データに基づく再生画像が表示されるようになっている。
【００１８】
また、本実施形態のデジタルカメラ１が備えるモードダイヤル１４の中には、香り記憶モードというモードも配備されていてその香り記憶モードが選択された状態にあるときには複数種類の香りセンサ１５により被写体側の香りが検出され画像データとともにそれらの香りセンサにより検出された香りの成分の配分率が香りデータとして後述する香りデータ・画像データ記憶部に記憶されるようになっている。
【００１９】
なお、カメラボディ１ａ側面には外部との通信用のコネクタＵＳＢが設けられており、このコネクタＵＳＢにパーソナルコンピュータ等に接続されている通信ケーブル端のコネクタが接続されると、外部との通信を行なうことができるようにもなっている。
【００２０】
図２は、デジタルカメラ１の内部構成を示す図である。
【００２１】
図２に示すように、このデジタルカメラ１は統括的にＣＰＵ１００により制御される。ＣＰＵ１００にはシャッタボタン１３やモードダイヤル１４などの操作子からの操作信号が供給されていてＣＰＵ１００によってそれらの操作信号それぞれに応じた処理が各実行される。またＣＰＵ１００が処理中のジョブの処理状態を表わすフラグ等を書き換え自在の記憶部１００Ａに書き込んでバス１００Ｂを通して各部に処理中のジョブの進行状態を通知することによって各部に適宜処理を実行させるようにもしてある。
【００２２】
またその記憶部１００Ａには各部からバス１００Ｂを通してフラグ等が書き込まれるようにもなっているため、ＣＰＵ１００はその記憶部１００Ａの内容を読み取ることによって各部の処理状況を随時認識して適応的に処理を実行することができるようにもなっている。
【００２３】
ここで、撮影処理を簡単に説明しておく。ここではモードダイヤル１４が単に撮影モードに切り替えられた状態にあるときの撮影処理をまず説明する。
【００２４】
ＣＰＵ１００は、シャッタチャンス時のシャッタボタン１３の操作を待ち受けるために画像表示部１０７に指示して表示画面上にスルー画を表示させている。
【００２５】
このときＣＰＵ１００は、撮像部１０２が備える撮像素子に所定のタイミングごとにタイミング信号を供給して撮影レンズ１０１で撮像素子１０２上に結像させた被写体を表わす画像を所定のタイミングごとにＡ／Ｄ変換部１０３へと出力させ、さらにＡ／Ｄ変換部１０３にアナログの画像データからデジタルの画像データへの変換を行なわせてから画像信号処理部１０４へと出力させている。
【００２６】
さらに、ＣＰＵ１００は、この画像信号処理部１０４でＹＣ信号への変換処理が行なわれた画像データを画像再生処理部１０６に所定のタイミングごとに供給させその画像再生処理部１０６（この例では画像バッファが画像再生処理部１０６内にある）から所定のタイミングごとに画像表示部１０７に供給させ表示画面上の画像を順次切り替えさせることによってスルー画を表示させている。そのスルー画を見ているユーザによってシャッタチャンスにシャッタボタン１３が押されたら、今度は、撮像部１０２が備える撮像素子に露光開始信号を供給して所定の露光時間後にさらに露光終了信号を供給してシャッタボタン１３が押されたときの被写体像を表わす画像データをＡ／Ｄ変換部１０３へと出力させる。さらに露光終了信号に同期してＡ／Ｄ変換部１０３に出力させた画像データをデジタルの画像データに変換させた後、画像信号処理部１０４に供給させる。ＣＰＵ１００は、この画像信号処理部１０４にＹＣ信号からなる画像データへの変換を行なわせさらに画像圧縮などの処理を行なわせた後、香りデータ・画像データ記憶部１０５に指示して香りデータ・画像データ記憶部１０５内のメモリカードにその圧縮画像信号を記憶させている。
【００２７】
このような撮影処理が行なわれる本実施形態のデジタルカメラ１には、図１に示したように複数の香りセンサここでは３種類の香りセンサ１５１，１５２，１５３が配備されており、それらの香りセンサ１５１，１５２，１５３により撮影時の被写体側の香りが検出されるようになっている。この例においては３つの香りセンサ１５１，１５２，１５３それぞれに香りを検出したときにその香りの量を電気信号（電圧や電流）に変換して出力することができるものを用いている。さらにそれらの香りセンサで検出した香り量をＡ／Ｄ変換器でそれぞれ変換することにより香り信号処理部１７０に各香り成分の量を表わすデータをそれぞれ供給させるようにしている。こうしておくと、香り処理部１７０で香り成分の配分率を表わす香りデータを生成することができる。
【００２８】
こうして香り信号処理部１７０で生成された香りの成分の配分率を表わす香りデータと画像信号処理部１０４で処理された画像データとの双方を、ＣＰＵ１００はバス１００Ｂを介して香りデータ・画像データ記憶部１０５に供給して香りデータ・画像データ記憶部１０５に双方のデータの関連付けを行なわせてからメモリカード等に記憶させる。
【００２９】
この香りデータ・画像データ記憶部１０５が本発明にいう記憶部にあたり、ＣＰＵ１００が本発明にいう制御部にあたる。またこの図１，２に示す香りセンサ１５として用いることが可能なものには例えば水晶振動子に感応膜を塗布して周波数の変化を検出するようなセンサや半導体ガスセンサなどがある。
【００３０】
この香りデータ・画像データ記憶部１０５に記憶されたデータを再生するにあたって、例えば特許文献１に記載されているような香り再生装置を撮影装置に配備することによって、その画像データに関連付けて記憶された香りデータに基づく香りを再生することができるようになる。
【００３１】
なお、ダイヤルモードが再生モードに切り替えられたときに香りデータ・画像データ記憶部１０５に記憶されている画像データに基づく画像を再生表示するための画像再生処理部１０６も図示されている。本実施形態のデジタルカメラにおいては、この画像再生処理部内に画像データを一時記憶しておくバッファ部を設けてそのバッファ部にスルー画を表わす画像データを記憶しておくことによってスルー画の表示を画像表示部１０７に行なわせるようにしてある。
【００３２】
ここでＣＰＵ１００が行なう処理の手順を、フローチャートを参照して説明しておく。
【００３３】
図３は、ＣＰＵ１００が行なう香りデータの記憶処理の手順を示すフローチャートである。
【００３４】
ステップＳ３０１でモードダイヤル１４が香り記憶モードに設定されているかどうかを判定する。このステップＳ３０１でモードダイヤル１４が香り記憶モードに設定されていないと判定したらＯＦＦ側に進む。次のステップＳ３０２でシャッタボタン１３が押されたと判定したら、ステップＳ３０３で撮像部１０２が備える撮像素子に露光開始信号を供給して所定の露光時間後に露光終了信号を供給することにより撮像素子に露光を行なわせる。次のステップＳ３０４で露光終了信号に同期して撮像素子から出力されたアナログの画像データをＡ／Ｄ変換部１０３に指示してデジタルの画像データに変換させて画像信号処理部１０４へと出力させる。ステップＳ３０５で画像信号処理部１０４に画像圧縮などの処理を行なわせた後、圧縮処理等が行なわれた画像データを香りデータ・画像データ記憶部に供給する。ステップＳ３０６で香りデータ・画像データ記憶部に画像データの記憶を行なわせてこのフローの処理を終了する。
【００３５】
またステップＳ３０１で香り記憶モードが設定されていると判定したらＯＮ側に進んでシャッタボタン１３が押されたら、次のステップＳ３１０へ進んでステップＳ３０２からステップＳ３０５までの処理と同様の処理をステップＳ３１０〜Ｓ３１２までで行なう。そのステップＳ３１０〜Ｓ３１２までの処理と並行してステップＳ３１４〜Ｓ３１６で香りセンサ１５１と香りセンサ１５２と香りセンサ１５３の３種類のセンサ１５により検出された香りを表わすデータそれぞれをステップＳ３１６、ステップＳ３１７、ステップＳ３１８でデジタル信号に変換してステップＳ３２０で３種類のセンサそれぞれからのデータに基づいて香りの成分の配分率を示す香りデータを香り処理部１７０に生成させる。次のステップＳ３２１で、ステップＳ３１３で生成された画像データとステップＳ３２０で生成された香りデータとを香りデータ・画像データ記憶部に供給してその香りデータ・画像データ記憶部に関連付けを行なわせて次のステップ３２２で関連付けられたデータをメモリカード等に記憶させてこのフローの処理を終了する。
【００３６】
以上、説明したように、画像に関連のある香りの再生を可能にする撮影装置が実現する。
【００３７】
なお、本実施形態ではデジタルカメラを例に挙げたが、パーソナルコンピュータ等にＣＣＤカメラのような撮像部を接続して撮影装置を構成しても良い。
【図面の簡単な説明】
【００３８】
【図１】一実施形態であるデジタルカメラの外観を示す図である。
【図２】デジタルカメラの内部構成を示す図である。
【図３】ＣＰＵが行なう香りデータの記憶処理の手順を示すフローチャートである。
【符号の説明】
【００３９】
１    デジタルカメラ
１ａ    カメラボディ
１０    レンズ鏡胴
１１    ファインダ
１２    フラッシュ発光窓
１３    シャッタボタン
１４    モードダイヤル
１５    複数の香りセンサ
１０１    撮影レンズ
１０２    撮像部
１０３    Ａ／Ｄ変換部
１０４    画像信号処理部
１０５    香りデータ・画像データ記憶部
１５１    香りセンサ１
１５２    香りセンサ２
１５３    香りセンサ３
１６１    Ａ／Ｄ変換部
１６２    Ａ／Ｄ変換部
１６３    Ａ／Ｄ変換部
１７０    香りデータ処理部
【図１】
2007116426.tif 000003
【図２】
2007116426.tif 000004
【図３】
2007116426.tif 000005